(57)【要約】      （修正有）【課題】本考案は、複数の物品を上下方向に区分して箱体内に容易かつ安定的に収容することが可能な箱用シートを提供する。【解決手段】本考案の箱用シート１は、１枚の段ボールシートから形成され、左右方向に連接されて四角筒状に組み立てられる４つの側面パネル２〜５を備え、箱型に組立可能な箱用シートであって、４つの上記側面パネルが、両側の側縁から同じ高さ位置で左右方向に延びる第１破断線１５と、上記第１破断線の下方かつ同じ高さ位置で第１破断線と平行に延びる第２破断線１６と、上記第１破断線及び第２破断線の端部同士を上下方向に接続する折り曲げ容易線１７とを有し、組立状態で隣接する側面パネル同士の境界線及びこの境界線に近接する一方の上記折り曲げ容易線の間で上記第１破断線及び第２破断線を上下方向に接続する４つの谷折り線１８を備える。【選択図】図１
0003216806.tif 000002
【実用新案登録請求の範囲】
【請求項１】
１枚の段ボールシートから形成され、
左右方向に連接されて四角筒状に組み立てられる４つの側面パネルを備え、
箱型に組立可能な箱用シートであって、
４つの上記側面パネルが、
両側の側縁から同じ高さ位置で左右方向に延びる第１破断線と、
上記第１破断線の下方かつ同じ高さ位置で第１破断線と平行に延びる第２破断線と、
上記第１破断線及び第２破断線の端部同士を上下方向に接続する折り曲げ容易線と
を有し、
組立状態で隣接する側面パネル同士の境界線及びこの境界線に近接する一方の上記折り曲げ容易線の間で上記第１破断線及び第２破断線を上下方向に接続する４つの谷折り線を備える箱用シート。
【請求項２】
上記第１破断線及び第２破断線の側面パネルの境界線と反対側の端部が、上記第１破断線及び第２破断線の対向方向外側かつ上記側面パネルの境界線側に湾曲している請求項１に記載の箱用シート。
【請求項３】
上記４つの谷折り線が、組立状態で対向する一対の側面パネルに形成されている請求項１又は請求項２に記載の箱用シート。
【請求項４】
組立状態で隣接する側面パネル同士の境界線の上記第１破断線及び第２破断線間の部分に、複数の切断線と、シートの内面を筋押しして形成された複数の罫線とが交互に連続したリード罫線が形成される請求項１、請求項２又は請求項３に記載の箱用シート。
【請求項５】
請求項１から請求項４のいずれか１項に記載の箱用シートと、
この箱用シートを組み立ててなる箱体の４つの隅部に配置される上記第１破断線、第２破断線及び一対の折り曲げ容易線で囲まれる領域を内側に折り込んで形成される４つの支持部に載置可能な中底に形成可能な中底用シートと
を備える包装資材セット。
【考案の詳細な説明】
【技術分野】
【０００１】
本考案は、箱用シート及び包装資材セットに関する。
【背景技術】
【０００２】
段ボールシートを組み立ててなる箱体が物品の保管、運搬用ケースとして広く用いられている。また、箱体内に収容される物品間を区画する中底を有する包装容器も用いられている（特開平１０−１１４３２８号公報参照）。
【先行技術文献】
【特許文献】
【０００３】
【特許文献１】特開平１０−１１４３２８号公報
【考案の概要】
【考案が解決しようとする課題】
【０００４】
上記公報に記載の包装容器は、側面パネルの上縁側から延出する中底（中蓋）を有しており、この中底によって物品間を区画することができる。しかしながら、上記公報に記載の包装容器は、収容する物品の外形やサイズによっては中底が安定せず、箱体内で物品を安定的に保持することができないおそれがある。
【０００５】
本考案は、このような不都合に鑑みてなされたものであり、複数の物品を上下方向に区分して箱体内に容易かつ安定的に収容することが可能な箱用シート及び包装資材セットを提供することを課題とする。
【課題を解決するための手段】
【０００６】
上記課題を解決するためになされた本考案に係る箱用シートは、１枚の段ボールシートから形成され、左右方向に連接されて四角筒状に組み立てられる４つの側面パネルを備え、箱型に組立可能な箱用シートであって、４つの上記側面パネルが、両側の側縁から同じ高さ位置で左右方向に延びる第１破断線と、上記第１破断線の下方かつ同じ高さ位置で第１破断線と平行に延びる第２破断線と、上記第１破断線及び第２破断線の端部同士を上下方向に接続する折り曲げ容易線とを有し、組立状態で隣接する側面パネル同士の境界線及びこの境界線に近接する一方の上記折り曲げ容易線の間で上記第１破断線及び第２破断線を上下方向に接続する４つの谷折り線を備える。
【０００７】
当該箱用シートは、組立状態で箱体の４つの隅部に配置される第１破断線、第２破断線及び一対の折り曲げ容易線で囲まれる領域を内側に折り込むことで、隣接する側面パネル同士の境界線を稜線として箱体の内側に突出する４つの平面視略Ｌ字状の支持部を形成することができる。そのため、当該箱用シートは、これらの支持部上に、箱体内の物品収容空間を区画するための中底を載置することができる。また、当該箱用シートは、組立状態で隣接する側面パネル同士の境界線及びこの境界線に近接する一方の上記折り曲げ容易線の間で上記第１破断線及び第２破断線を上下方向に接続する４つの谷折り線を備えるので、上記支持部を形成しやすい。従って、当該箱用シートは、複数の物品を上下方向に区分して箱体内に容易かつ安定的に収容することができる。
【０００８】
当該箱用シートは、上記第１破断線及び第２破断線の側面パネルの境界線と反対側の端部が、上記第１破断線及び第２破断線の対向方向外側かつ上記側面パネルの境界線側に湾曲しているとよい。このように、上記第１破断線及び第２破断線の側面パネルの境界線と反対側の端部が、上記第１破断線及び第２破断線の対向方向外側かつ上記側面パネルの境界線側に湾曲していることによって、上記支持部を形成する際に上記第１破断線及び第２破断線の延長部分が破断し難い。
【０００９】
上記４つの谷折り線が、組立状態で対向する一対の側面パネルに形成されているとよい。このように、上記４つの谷折り線が、組立状態で対向する一対の側面パネルに形成されていることによって、１つの側面パネルの左右に位置する一対の谷折り線を同時に折り込みやすい。これにより、上記４つの支持部の形成作業が容易となる。
【００１０】
組立状態で隣接する側面パネル同士の境界線の上記第１破断線及び第２破断線間の部分に、複数の切断線と、シートの内面を筋押しして形成された複数の罫線とが交互に連続したリード罫線が形成されるとよい。このように、組立状態で隣接する側面パネル同士の境界線の上記第１破断線及び第２破断線間の部分に、複数の切断線と、シートの内面を筋押しして形成された複数の罫線とが交互に連続したリード罫線が形成されることによって、隣接する側面パネル同士の境界線の折り曲げを容易かつ確実に行うことができ、上記４つの支持部をより容易かつ確実に形成することができる。
【００１１】
また、上記課題を解決するためになされた本考案に係る包装資材セットは、当該箱用シートと、この箱用シートを組み立ててなる箱体の４つの隅部に配置される上記第１破断線、第２破断線及び一対の折り曲げ容易線で囲まれる領域を内側に折り込んで形成される４つの支持部に載置可能な中底に形成可能な中底用シートとを備える。
【００１２】
当該包装資材セットは、当該箱用シートを備えるので、箱体の４つの隅部に平面視略Ｌ字状の支持部を容易に形成することができる。そのため、当該包装資材セットは、これらの支持部上に、上記中底用シートから形成され、箱体内の物品収容空間を区画するための中底を載置することができる。従って、当該包装資材セットは、複数の物品を上下方向に区分して箱体内に容易かつ安定的に収容することができる。
【００１３】
なお、本考案において、「左右」とは、箱用シートを組み立ててなる箱体の想定される一般的な使用態様における水平方向をいい、「上下」とは、想定される一般的な使用態様における上下を意味するが、上記箱体の使用時の向きを制限することを企図するものではない。「谷折り線」とは、組立状態で内面側に凸に折り曲げられる線をいう。
【考案の効果】
【００１４】
以上説明したように、本考案に係る箱用シート及び包装資材セットは、複数の物品を上下方向に区分して箱体内に容易かつ安定的に収容することができる。
【図面の簡単な説明】
【００１５】
【図１】本考案の一実施形態に係る箱用シートを示す模式的平面図である。
【図２】図１の箱用シートを組み立ててなる箱体の４つの支持部に載置される中底に形成可能な中底用シートを示す模式的平面図である。
【図３】図１の箱用シート組み立ててなる箱体に図２の中底用シートから形成される中底を配置した状態を示す模式的斜視図である。
【図４】図３の箱体の支持部の形成工程を示す模式的部分拡大図である。
【考案を実施するための形態】
【００１６】
以下、適宜図面を参照しつつ、本考案の実施の形態を詳説する。
【００１７】
［箱用シート］
図１の箱用シート１は、１枚の段ボールシートから形成される。当該箱用シート１は、箱型に組立可能である。当該箱用シート１は、図２の中底用シート３１と共に用いられる。当該箱用シート１は、図３の箱体１ａに組み立てられ、中底用シート３１から形成される中底３１ａが配置されることで、包装容器４１を形成する。当該箱用シート１は、左右方向に連接され、四角筒状に組み立てられる４つの側面パネル（第１側面パネル２、第２側面パネル３、第３側面パネル４及び第４側面パネル５）を備える。第１側面パネル２、第２側面パネル３、第３側面パネル４及び第４側面パネル５は、左右方向一方側から他方側にこの順で連接されている。また、当該箱用シート１は、第１側面パネル２及び第３側面パネル４の上縁から延出する一対の蓋外フラップ６，７と、第２側面パネル３及び第４側面パネル５の上縁から延出する一対の蓋内フラップ８，９と、第１側面パネル２乃至第４側面パネル５（以下、単に「側面パネル２〜５」ともいう）の下縁から延出する４つの底フラップ（第１底フラップ１０、第２底フラップ１１、第３底フラップ１２及び第４底フラップ１３）と、第１側面パネル２の第２側面パネル３との連接側と反対側の端縁から延出し、第４側面パネル５の内面（組立状態で内側に配置される面）に貼着される糊代部１４とを備える。なお、図１及び図２において、太い実線はシートを切断して形成されるエッジを示し、細い実線はシートの片面に筋押しして形成される罫線を示す。
【００１８】
一対の蓋外フラップ６，７は、第１側面パネル２及び第３側面パネル４の上縁から延出する矩形状の本体６ａ，７ａと、本体６ａ，７ａの上縁から延出する挿入片６ｂ，７ｂとを有する。本体６ａ，７ａの延出方向長さは、第２側面パネル３及び第４側面パネル５の左右方向長さの略１／２である。一対の蓋内フラップ８，９には、幅方向の中央に先端縁から基端側に延びるスリット８ａ，９ａが形成されている。当該箱用シート１は、４つの側面パネル２〜５が四角筒状に組み立てられた状態で、４つの底フラップ１０〜１３を内側に折り曲げ、互い違いに組み合わせて底部を形成し、一対の蓋内フラップ８，９を内側に折り曲げたうえ、一対の蓋外フラップ６，７の挿入片６ｂ，７ｂを一対の蓋内フラップ８，９のスリット８ａ，９ａに挿入して蓋部を形成することによって箱体１ａに組み立てられる。
【００１９】
当該箱用シート１を形成する段ボールシートとしては、原紙を波形状に形成した中芯をライナーに貼り合わせたものであって、例えば波形状に形成された中芯を１枚のライナーに貼り合わせた片面段ボールシート、片面段ボールシートの段頂にさらにライナーを貼り合わせた両面段ボールシート、両面段ボールシートの片側に片面段ボールシートの段頂を貼り合わせた複両面段ボールシート、複両面段ボールシートの片側に片面段ボールシートの段頂をさらに貼り合わせた複々両面段ボールシート等が挙げられる。これらの中でも、加工性、経済性、耐久性等の点から両面段ボールシートが好ましい。上記段ボールシートの中芯の稜線は、箱体１ａの座屈強度を高めると共に、後述する支持部２０ａの形成を容易にする観点から、上下方向に配設されることが好ましい。
【００２０】
（側面パネル）
側面パネル２〜５は略矩形状である。側面パネル２〜５の上下方向長さは略等しい。第１側面パネル２及び第３側面パネル４は略同形状に形成され、第２側面パネル３及び第４側面パネル５は略同形状に形成されている。側面パネル２〜５の上下方向長さとしては、特に限定されるものではないが、箱体１ａ内に複数の物品を上下方向に区分して収容しやすいよう、例えば３０ｃｍ以上１００ｃｍ以下程度とすることができる。側面パネル２〜５の左右方向長さとしては、内部に収容される物品のサイズ等に応じて適宜設定可能であるが、例えば１５ｃｍ以上５０ｃｍ以下程度とすることができる。なお、当該箱用シート１は、第２側面パネル３及び第４側面パネル５に、左右方向に延びる折り曲げ容易線とこの折り曲げ容易線の両端に接続され下方に凸な切断線とを有し、組立状態で内側に折り込まれることで手掛け穴を形成する手掛け穴形成部３ａ，５ａが設けられている。
【００２１】
〈支持部形成部〉
４つの側面パネル２〜５は、両側の側縁から同じ高さ位置で左右方向に延びる第１破断線１５と、第１破断線１５の下方かつ同じ高さ位置で第１破断線１５と平行に延びる第２破断線１６と、第１破断線１５及び第２破断線１６の端部同士を上下方向に接続する折り曲げ容易線１７とを有する。また、当該箱用シート１は、組立状態で隣接する側面パネル２〜５同士の境界線及びこの境界線に近接する一方の折り曲げ容易線１７の間で第１破断線１５及び第２破断線１６を上下方向に接続する４つの谷折り線１８を有する。各側面パネル２〜５において上下に並列に設けられる第１破断線１５及び第２破断線１６の長さは同じである。また、折り曲げ容易線１７及び谷折り線１８は上下方向に直線状に形成される。組立状態で第１破断線１５、第２破断線１６及び一対の折り曲げ容易線１７に囲まれる領域は、箱体１ａの隅部において内側に平面視略Ｌ字状に突出する支持部２０ａを形成するための支持部形成部２０である。なお、当該箱用シートは、糊代部１４の組立状態で第４側面パネル５の第１破断線１５及び第２破断線１６と近接する位置に第１破断線１５及び第２破断線１６と平行な破断線２１が形成されている。これにより、糊代部１４が支持部２０ａの形成を妨げることが抑制されている。
【００２２】
図４に示すように、支持部形成部２０は、谷折り線１８及びこの谷折り線１８に近接する折り曲げ容易線１７間に形成される第１折り込み領域Ｐと、谷折り線１８及び隣接する側面パネル同士の境界線２２間に形成される第２折り込み領域Ｑと、境界線２２及び谷折り線１８が形成されていない側の折り曲げ容易線１７間に形成される第３折り込み領域Ｒを有する。当該箱用シート１は、谷折り線１８を谷折りし、第１折り込み領域Ｐを内側に折り込みつつ第２折り込み領域Ｑを第１折り込み領域Ｐ側に引き寄せながら、第２折り込み領域Ｑを内側に押し込んでいくことで、境界線２２を頂点とする平面視断面Ｌ字状の支持部２０ａを容易に形成することができる。
【００２３】
第１破断線１５及び第２破断線１６は、例えば複数の切断線と複数の継ぎ目とが交互に連続したミシン目である。第１破断線１５及び第２破断線１６は、支持部２０ａの形成時に容易に破断できるよう切断線の長さが継ぎ目の長さよりも大きいことが好ましい。
【００２４】
第１破断線１５及び第２破断線１６の側面パネル２〜５の境界線と反対側の端部（各第１破断線１５及び第２破断線１６が形成される側面パネル２〜５の境界線と反対側の端部）は、第１破断線１５及び第２破断線１６の対向方向外側かつ上記境界線側に湾曲している。つまり、第１破断線１５及び第２破断線１６は、左右方向に直線状に伸びる直線部１５ａ，１６ａと、直線部１５ａ，１６ａに連続し、直線部１５ａ，１６ａの対向方向外側かつ上記境界線側に湾曲した湾曲部１５ｂ，１６ｂとを有する。当該箱用シート１は、湾曲部１５ｂ，１６ｂを有することで、直線部１５ａ，１６ａの左右方向の破断応力が湾曲部１５ｂ，１６ｂによって緩和されるので、直線部１５ａ，１６ａが折り曲げ容易線１７を越えて破断し難い。
【００２５】
第１破断線１５及び第２破断線１６が上述のミシン目である場合、湾曲部１５ｂ，１６ｂは切断線によって形成されることが好ましい。このように、湾曲部１５ｂ，１６ｂが切断線によって形成されることで、第１破断線１５及び第２破断線１６の破断時に湾曲部１５ｂ，１６ｂを破断するための応力が加わることを防止し、直線部１５ａ，１６ａが折り曲げ容易線１７を越えて破断することをより確実に防止することができる。
【００２６】
直線部１５ａ，１６ａの長さの下限としては、この直線部１５ａ，１６ａが形成される側面パネル２〜５の左右方向長さの０．０６倍が好ましく、０．０８倍がより好ましい。一方、直線部１５ａ，１６ａの長さの上限としては、この直線部１５ａ，１６ａが形成される側面パネル２〜５の左右方向長さの０．１５倍が好ましく、０．１２倍がより好ましい。直線部１５ａ，１６ａの長さが上記下限に満たないと、支持部２０ａに中底３１ａを安定的に載置し難くなるおそれや、中底３１ａ上に物品を載置した場合に中底３１ａの角部の負荷が大きくなり過ぎて中底３１ａが折れ曲がり支持部２０ａから落下するおそれがある。逆に、直線部１５ａ，１６ａの長さが上記上限を超えると、支持部２０ａが不必要に大きくなり、支持部形成部２０の折り込みによって形成された隙間から箱体１ａ内にゴミ等が混入するおそれがある。
【００２７】
湾曲部１５ｂ，１６ｂの長さの下限としては、２ｍｍが好ましく、５ｍｍがより好ましい。一方、湾曲部１５ｂ，１６ｂの長さの上限としては、２０ｍｍが好ましく、１５ｍｍがより好ましい。湾曲部１５ｂ，１６ｂの長さが上記下限に満たないと、直線部１５ａ，１６ａが折り曲げ容易線１７を越えて破断することを十分に抑制することができないおそれがある。逆に、湾曲部１５ｂ，１６ｂの長さが上記上限を超えると、箱体１ａの強度が低下するおそれがある。
【００２８】
直線部１５ａ，１６ａ間の間隔の下限としては、３ｃｍが好ましく、４ｃｍがより好ましい。一方、直線部１５ａ，１６ａ間の間隔の上限としては、９ｃｍが好ましく、７ｃｍがより好ましい。上記間隔が上記下限に満たないと、支持部形成部２０の折り込みが容易でなくなるおそれがある。逆に、上記間隔が上記上限を超えると、支持部形成部２０の上下方向長さが不必要に大きくなり、箱体１ａの座屈強度が不十分となるおそれがある。
【００２９】
谷折り線１８は、折り曲げ容易線１７及び境界線２２の中間位置に形成されることが好ましい。谷折り線１８が折り曲げ容易線１７及び境界線２２の中間位置に形成されることで、谷折り線１８を容易に谷折りすることができると共に、第２折り込み領域Ｑを第１折り込み領域Ｐ側に引きつけながら内側に十分に押し入れることができ、支持部２０ａを形成しやすい。
【００３０】
谷折り線１８は、複数の切断線と、シートの内面を筋押しして形成された複数の罫線とが交互に連続したリード罫線であることが好ましい。谷折り線１８が上記リード罫線であることによって、谷折り線１８を容易かつ確実に谷折りしやすく、支持部２０ａを形成しやすい。
【００３１】
４つの谷折り線１８は、組立状態で対向する第１側面パネル２及び第３側面パネル４に形成されている。当該箱用シート１は、４つの谷折り線１８が組立状態で対向する第１側面パネル２及び第３側面パネル４に形成されていることで、例えば第２側面パネル３と正対した状態でこの第２側面パネル３の左右に形成される一対の支持部形成部２０の谷折り線１８を同時に谷折りすることで一対の支持部２０ａを同時に形成しやすい。さらに第４側面パネル５と正対した状態でこの第４側面パネル５の左右に形成される他対の支持部形成部２０の谷折り線１８を同時に谷折りすることで他対の支持部２０ａを同時に形成しやすい。これにより、４つの支持部２０ａをより容易に形成することができる。
【００３２】
組立状態で隣接する側面パネル２〜５同士の境界線２２の第１破断線１５及び第２破断線１６間の部分には、複数の切断線と、シートの内面を筋押しして形成された複数の罫線とが交互に連続したリード罫線が形成されることが好ましい。上記部分にリード罫線が形成されていることによって、この部分で確実に折り曲げやすくなり、支持部２０ａを容易かつ確実に形成することができる。
【００３３】
［包装資材セット］
本考案に係る包装資材セットは、図１の箱用シート１と、箱用シート１を組み立ててなる箱体１ａの４つの隅部に配置される第１破断線１５、第２破断線１６及び一対の折り曲げ容易線１７で囲まれる領域（支持部形成部２０）を内側に折り込んで形成される４つの支持部２０ａに載置可能な中底３１ａに形成可能な図２の中底用シート３１とを備える。
【００３４】
＜中底用シート＞
中底用シート３１は、第１側面パネル２及び第３側面パネル４の左右方向長さと略同じ長さの対向する２辺、並びに第２側面パネル３及び第４側面パネル５の左右方向長さと略同じ長さの対向する２辺を有する矩形状の本体３２と、この本体３２の各辺から延出する４つのフラップ３３〜３６とを備える。
【００３５】
中底用シート３１は、図３に示すように、４つのフラップ３３〜３６を略垂直に立ち上げ、本体３２のフラップ３３〜３６の立ち上げ方向と反対側の面の４つの角部を支持部２０ａに載置することで箱体１ａ内に配置される。これにより、箱体１ａ内には、箱体１ａの底部と中底３１ａとの間に形成される第１の物品収容空間及び箱体１ａの蓋部と中底３１ａとの間に形成される第２の物品収容空間の２つの物品収容空間が形成される。４つのフラップ３３〜３６は、箱体１ａの蓋部の内面側に立ち上げられることで、本体３２の浮きを防止する。
【００３６】
中底用シート３１に用いられるシートとしては、支持部２０ａに載置され、かつ上側に物品が置かれた状態で形状を維持できる程度の剛性を有する限り特に限定されるものではなく、例えば段ボールシート、ボール紙等の紙製シート、合成樹脂製シート、紙製シートと合成樹脂製シートとの積層シート等が挙げられる。中でも、加工性、衝撃吸収性、取扱性、リサイクル性、経済性等の点から紙製シートが好ましく、段ボールシートが特に好ましい。この段ボールシートとしては、例えば箱用シート１と同様のものを用いることができる。
【００３７】
［利点］
当該箱用シート１は、組立状態で箱体１ａの４つの隅部に配置される第１破断線１５、第２破断線１６及び一対の折り曲げ容易線１７で囲まれる支持部形成部２０を内側に折り込むことで、隣接する側面パネル２〜５同士の境界線を稜線として箱体１ａの内側に突出する４つの平面視略Ｌ字状の支持部２０ａを形成することができる。そのため、当該箱用シート１は、これらの支持部２０ａ上に、箱体１ａ内の物品収容空間を区画するための中底３１ａを載置することができる。また、当該箱用シート１は、組立状態で隣接する側面パネル２〜５同士の境界線及びこの境界線に近接する一方の折り曲げ容易線１７の間で第１破断線１５及び第２破断線１６を上下方向に接続する４つの谷折り線１８を備えるので、支持部２０ａを形成しやすい。従って、当該箱用シート１は、複数の物品を上下方向に区分して箱体１ａ内に容易かつ安定的に収容することができる。
【００３８】
当該包装資材セットは、当該箱用シート１を備えるので、箱体１ａの４つの隅部に平面視略Ｌ字状の支持部２０ａを容易に形成することができる。そのため、当該包装資材セットは、これらの支持部２０ａ上に、中底用シート３１から形成され、箱体１ａ内の物品収容空間を区画するための中底３１ａを載置することができる。従って、当該包装資材セットは、複数の物品を上下方向に区分して箱体１ａ内に容易かつ安定的に収容することができる。
【００３９】
［その他の実施形態］
上記実施形態は、本考案の構成を限定するものではない。従って、上記実施形態は、本明細書の記載及び技術常識に基づいて上記実施形態各部の構成要素の省略、置換又は追加が可能であり、それらは全て本考案の範囲に属するものと解釈されるべきである。
【００４０】
例えば上記実施形態では、４つの底フラップを互い違いに組み合わせることで箱体の底部を形成し、一対の蓋内フラップを内側に折り曲げたうえ、一対の蓋外フラップの挿入片を一対の蓋内フラップに形成されるスリットに挿入することで蓋部を形成する構成について説明したが、箱体の底部及び蓋部を形成するための具体的な構成は特に限定されるものではない。
【００４１】
当該箱用シートは、第１破断線及び第２破断線の側面パネルの境界線と反対側の端部が、第１破断線及び第２破断線の対向方向外側かつ側面パネルの境界線側に湾曲していなくてもよい。
【００４２】
上記４つの谷折り線は、必ずしも組立状態で対向する一対の側面パネルに形成される必要はなく、例えば各側面パネルに１つの谷折り線が形成されてもよい。
【００４３】
上記中底用シートは、中底に形成された状態で４つの支持部上に載置可能なものである限り、その具体的構成は特に限定されるものではない。また、上記中底用シートは、例えば上述の本体のみから構成されてもよい。この場合、中底用シートをそのまま中底として用いることができる。
【産業上の利用可能性】
【００４４】
以上のように、本考案の箱用シート及び包装資材セットは、複数の物品を上下方向に区分して箱体内に容易かつ安定的に収容することができるので、物品の保管及び運搬用ケースの形成に適している。
【符号の説明】
【００４５】
１  箱用シート
１ａ  箱体
２  第１側面パネル
３  第２側面パネル
３ａ  手掛け穴形成部
４  第３側面パネル
５  第４側面パネル
５ａ  手掛け穴形成部
６，７  蓋外フラップ
６ａ，７ａ  本体
６ｂ，７ｂ  挿入片
８，９  蓋内フラップ
８ａ，９ａ  スリット
１０  第１底フラップ
１１  第２底フラップ
１２  第３底フラップ
１３  第４底フラップ
１４  糊代部
１５  第１破断線
１５ａ  直線部
１５ｂ  湾曲部
１６  第２破断線
１６ａ  直線部
１６ｂ  湾曲部
１７  折り曲げ容易線
１８  谷折り線
２０  支持部形成部
２０ａ  支持部
２１  破断線
２２  境界線
３１  中底用シート
３１ａ  中底
３２  本体
３３〜３６  フラップ
４１  包装容器
Ｐ  第１折り込み領域
Ｑ  第２折り込み領域
Ｒ  第３折り込み領域
【図１】
0003216806.tif 000003
【図２】
0003216806.tif 000004
【図３】
0003216806.tif 000005
【図４】
0003216806.tif 000006